(57)【特許請求の範囲】
【請求項１】
ボイスコイルを取り付けているボイスコイルボビンと、
上記ボイスコイルボビンの外周面に取り付けられると共に、このボイスコイルボビンの外周面よりも該ボイスコイルボビンの径方向の中心からの距離が離間して設けられる支持手段と、
上記支持手段に接合される第１の振動板を備えるウーハと、
上記第１の振動板の開放側に設けられると共に、第２の振動板を備え、上記ボイスコイルボビンを挿通する取付部材によって支持されるツイータと、
上記ボイスコイルボビンを挿通させる挿通孔、および該挿通孔の周囲に存すると共に上記支持手段に直接的又は間接的に接合される接合手段を具備し、かつ上記第１の振動板と上記第２の振動板の間に位置する補正用振動板と、
を具備することを特徴とするスピーカ。
【請求項２】
前記支持手段は、前記ボイスコイルボビンを弾性支持する弾性部材の内端側を利用して構成されることを特徴とする請求項１記載のスピーカ。
【請求項３】
前記支持手段は、前記ボイスコイルボビンの外周面に嵌め込まれる環状部材を利用して構成されることを特徴とする請求項１記載のスピーカ。
【請求項４】
前記環状部材は、その半断面の形状がＬ字型の形状に形成されていることを特徴とする請求項３記載のスピーカ。
【請求項５】
前記環状部材は、その半断面の形状が矩形状に形成されていることを特徴とする請求項３記載のスピーカ。
【発明の詳細な説明】
【０００１】
【発明の属する技術分野】
本発明は、スピーカに関する。
【０００２】
【従来の技術】
各種音響機器に使用されるスピーカにおいて再生音域特性の改善を図る一つの手段として、半頂角の広い低域再生用の第１の振動板（所謂、メインコーン）の開放前面側に、半頂角が狭い高域補正用の補正用振動板（所謂、サブコーン）を設けることが行われている。このようなスピーカは、デュアルコーン（またはダブルコーン）型スピーカと称されており、半頂角が狭いサブコーンを設けることにより、再生周波数帯域が増加して高域まで再生が可能となる。
【０００３】
デュアルコーン型スピーカの一例を、図８を参照しながら説明する。この図８に示すスピーカ１０１は、外磁型のフルレンジ型デュアルコーンスピーカであり、ヨーク１１１、プレート１１０及びマグネット１１２とで磁気回路部を構成している。プレート１１０の上面側には、フレーム１０５が取り付けられている。また、プレート１１０の径方向中央部分の挿通孔に、ヨーク中心軸１１１ａの先端部が位置する。さらに、プレート１１０の内周壁面とヨーク中心軸１１１ａの先端部外周壁面との間の隙間１１４には、ボイスコイルボビン１０４に取付固定されたボイスコイル１０７が配置されている。
【０００４】
ボイスコイルボビン１０４は、ダンパ１０６及びエッジ１０８を介してフレーム１０５に取付固定されており、ボイスコイル１０７をヨーク中心軸１１１ａの中心軸線に沿って駆動可能かつ弾性的に支持している。また、ボイスコイルボビン１０４には、メインコーン１０２の内端部が接着剤等によって固定されていて、ボイスコイル１０７が駆動した場合に、メインコーン１０２を振動可能な構成としている。
【０００５】
メインコーン１０２は、例えば所定の肉厚のコーン紙等を材質としており、これが略漏斗状（または円錐状）に形成されており、その外端側は、エッジ１０８を介してフレーム１０５に取付固定されている。ボイスコイルボビン１０４の先端部には、有底のサブコーン１０３が、例えば接着剤等で取付固定される。それにより、メインコーン１０２の開放前面側にサブコーン１０３が配置される構成である。
【０００６】
この構成により、ボイスコイル１０７の振動は、低域から中域ではメインコーン１０２とサブコーン１０３と両方に伝わって両者が一緒に振動することとなり、メインコーン１０２では振動が伝わり難い高域は、振動板の半頂角が狭く小さいため全体に振動が伝わり易いサブコーン１０３によって効率よく再生されることとなる。
【０００７】
なお、図示しないが、デュアルコーン型スピーカでの再生音域特性の改善は、上述した外磁型のものに限定されるものではなく、内部に空間部を有するヨーク内の中心部に円柱形をしたマグネットが収納された状態で取付固定されている内磁型とすることも出来る。
【０００８】
また、再生音域特性の改善を図る他の手段として、振動板の大きい低域再生用とする第１のスピーカ（所謂、ウーハ）の振動板の前面側に、別途振動板の小さい高域再生用とする第２の振動板を備える第２のスピーカ（所謂、ツイータ）を取り付けたりすることも行われている。このようなスピーカは、コアキシャル型スピーカと称されており、振動板の小さいツイータを取り付けることにより、高い周波数を受け持って高域の再生を可能とする。
【０００９】
また、ここで、コアキシャル型スピーカの一例を、図９を参照しながら説明する。この図９に示すスピーカ１２１は、支柱形式の支持形態を有するスピーカであり、第１のスピーカであり低音用スピーカとしてのウーハ１２２の磁気回路部から立設した取付支柱１２４の先端部１２４ａに、第２のスピーカであり高音用スピーカとしてのツイータ１２３を、固定ネジ１２９等によって取り付けることによりウーハ１２２の前面側に配置するようにしている。
【００１０】
このスピーカ１２１のウーハ１２２は、上述のスピーカ１０１における構成と同様の構成であり、同一符号を用いているボイスコイルボビン１０４、フレーム１０５、ダンパ１０６、ボイスコイル１０７、振動板１０８、プレート１１０、ヨーク１１１、マグネット１１２、隙間１１４の詳細についての説明は省略する。
【００１１】
このスピーカ１２１において、ウーハ１２２の磁気回路におけるヨーク１１１のヨーク中心軸１１１ａの先端部には、ツイータ１２３を支持する厚肉円筒状の支柱１２４が設置されている。支柱１２４の内部には、ツイータ１２３を該支柱１２４の先端部１２４ａに支持させるための固定ネジ１２９用のネジ孔路が設けられている。
【００１２】
この構成により、ボイスコイル１２７の振動は、低域から中域ではウーハ１２２が担当して再生し、高域ではツイータ１２３が担当して再生することで、効率よく再生されることとなる。
【００１３】
【発明が解決しようとする課題】
ところで、スピーカの再生音域特性の一層の改善のために、上述した二つの再生音域特性改善手段を共に講じることが考えられるが、その場合、ツイータ１２３を必要以上に開放前面側に移動させなければならない。
【００１４】
すなわち、例えば、図９に示すスピーカ１２１のウーハ１２２（振動板１０８）の開放側であって、且つ、ツイータ１２３の背面側に、図８に示すサブコーン１０３を取り付けようとすると、図１０に示すように、頂半角が狭く高さのあるサブコーン１０３の開放側先端部が、ツイータ１２３の背面にぶつかってしまう。
【００１５】
また、図示しないが、サブコーン１０３の開放側先端部が、ツイータ１２３の背面にぶつかってしまわなくても、サブコーン１０３の開放側表面を、ツイータ１２３の背面が必要以上に覆ってしまい、サブコーン１０３からの出力を損なわせてしまう等の恐れがある。
【００１６】
したがって、サブコーン１０３が有する補正用振動板としての機能を確保するためには、サブコーン１０３からの出力を損なわせることの無いよう、ツイータ１２３を必要以上に開放前面側（図１０において、ウーハ１２２から突出する上方側）に移動させて、サブコーン１０３を取り付けるためのスペースを作り出さなければならない。
【００１７】
しかしながら、ツイータ１２３を必要以上に移動させるということは、スピーカ中心部の高さ（厚み）が大きく出っ張った形状となり、取り付けのためにスピーカ全体として大きな奥行きを有する収納スペースが必要となる。
【００１８】
本発明は、上記の事情に基づきなされたもので、その目的とするところは、必要以上に大きな取り付け奥行き収納スペースを要すること無くスピーカの再生音域特性の改善を図るスピーカを提供することにある。
【００１９】
【課題を解決するための手段】
上記の目的を達成するため、本発明は、ボイスコイルを取り付けているボイスコイルボビンと、ボイスコイルボビンの外周面に取り付けられると共に、このボイスコイルボビンの外周面よりも該ボイスコイルボビンの径方向の中心からの距離が離間して設けられる支持手段と、支持手段に接合される第１の振動板を備えるウーハと、第１の振動板の開放側に設けられると共に、第２の振動板を備え、ボイスコイルボビンを挿通する取付部材によって支持されるツイータと、ボイスコイルボビンを挿通させる挿通孔、および該挿通孔の周囲に存すると共に支持手段に直接的又は間接的に接合される接合手段を具備し、かつ第１の振動板と第２の振動板の間に位置する補正用振動板と、を具備するものである。
【００２０】
また、他の発明は、上述の補正用振動板の取付構造の発明に加えて更に、支持手段は、ボイスコイルボビンを弾性支持する弾性部材の内端側を利用して構成されるものである。
【００２１】
さらに、他の発明は、上述の補正用振動板の取付構造の発明に加えて更に、支持手段は、ボイスコイルボビンの外周面に嵌め込まれる環状部材を利用して構成されるものである。
【００２２】
また、他の発明は、上述の補正用振動板の取付構造の発明に加えて更に、環状部材は、その半断面の形状がＬ字型の形状に形成されているものである。
【００２３】
さらに、他の発明は、上述の補正用振動板の取付構造の各発明に加えて更に、環状部材は、その半断面の形状が矩形状に形成されているものである。
【００２５】
【発明の実施の形態】
以下、本発明の各実施の形態について、第一の実施の形態から第三の実施の形態まで、順次説明する。なお、各実施の形態の説明の順序は、サブコーン６付近を三重に重ねて接合する場合を第一の実施の形態とし、四重に重ねて接合する場合を第二の実施の形態、及び第三の実施の形態として説明する。
【００２６】
なお、これから以下に説明する各実施の形態においては、スピーカとして支柱形式のコアキシャルスピーカを採用している。しかしながら、後述する第１のスピーカ部材であり低音用スピーカであるウーハ２の開放側に、第２のスピーカ部材であり高音用スピーカとしてのツイータ３が取り付けられる形式のスピーカであれば、ブリッジ形式のコアキシャルスピーカや他の形式のスピーカとしても良い。
【００２７】
（第一の実施の形態）
図１は、左側半分しか示されていないが、本発明の第一の実施の形態に係る複合スピーカの構造を説明する図であり、（ａ）はスピーカの半側断面図、（ｂ）はサブコーン６の取付状態を示す部分拡大断面図である。この実施の形態の複合スピーカ１は、図１に示すように、環状のマグネット１２がその外側面に露出した状態で、マグネットを取り付ける取付部としてのプレート１０とヨーク１１との間に固定され磁気回路部を構成する外磁型の同軸スピーカである。
【００２８】
プレート１０は、鉄等のマグネット１２が吸着可能な材質によって形成されており、その上面側にはフレーム１３が取り付けられる。
【００２９】
ヨーク１１の中心部に形成された凸状のヨーク中心軸１１ａの先端部には取付部材としての取付支柱９が立設され、この取付支柱９の先端部９ａに、第２の振動板３ａを供える第２のスピーカ部材としてのツイータ３が固定ネジ１９を用いて取り付けられ、第１のスピーカ部材としてのウーハ２の前面側に配置される。
【００３０】
フレーム１３は、大径の上端側（ツイータ３が設けられる前面側）が開放して設けられると共に、小径の下端側の径方向中心側に中心孔１８が形成されており、この中心孔１８にはボイスコイル７が位置する構成となる。なお、このフレーム１３は、プレート１０に対して、例えば不図示のボルト（又はネジ）により取付固定される。
【００３１】
また、プレート１０の径方向中央部分にも穴部１５が形成されており、この穴部１５にヨーク中心軸１１ａの先端部が位置する。それによって、プレート１０の穴部１５の側壁面とこの先端部の外周面との間に所定幅の隙間が形成され、この隙間にボイスコイル７が配置されることとなる。そのため、ボイスコイル７への通電時には、該ボイスコイル７が取付固定されているボイスコイルボビン８が、ヨーク中心軸１１ａの中心軸線に沿って駆動可能となる。
【００３２】
このボイスコイルボビン８は、弾性部材としてのダンパ４を介してフレーム１３に取付固定されている。このように、ボイスコイル７は、ダンパ４によって弾性的に支持され、ヨーク中心軸１１ａの中心軸線に沿って駆動可能となる構成である。
【００３３】
ダンパ４の内側端部付近には、該ダンパ４の径方向に沿うように平坦を為す支持手段としての支持部４ｂが形成されており、その内端部４ａは支持部４ｂが存する平面と略垂直を為すように折れ曲がっている。そして、この内端部４ａは、ボイスコイル７が取り付けられたボイスコイルボビン８の外周面に接着剤等により固定される。
【００３４】
また、ダンパ４の内側端部付近に形成された平坦な支持部４ｂの上には、低域から中域の範囲を再生するのに適した振動板である、第１の振動板としてのメインコーン５の内端部５ａが接着剤等により固定されている。それにより、ボイスコイル７が駆動した場合に、このボイスコイル７と一体的なメインコーン５を振動可能な構成としている。
【００３５】
また、メインコーン５は、例えば所定の肉厚のコーン紙等を材質として、なだらかな傾斜を有する略漏斗状（または円錐状）に形成されており、その内端部５ａは、取り付けるダンパ４の支持部４ｂ上面と略平行となるよう内方に向って折曲され、その外端側は、エッジ１６を介してフレーム１３に取り付け固定されている。
【００３６】
なお、メインコーン５の内端部５ａは、エッジ１６によってメインコーン５が支持された場合に、プレート１０や支持部４ｂと略平行を為すように形成されている。それによって、内端部５ａと支持部４ｂとは、接触面積が大きくなり、両者を良好に接着することが可能となる。
【００３７】
さらに、ダンパ４の内側の支持部４ｂの上に固定されたメインコーン５の内端部５ａの上には、補正用振動板としてのサブコーン６の内端部６ａが取付固定されている。サブコーン６は、中域から高域の範囲の音を再生するのに適している、円形の底部に挿通孔１７が形成された略カップ状の外観を呈するものである。このサブコーン６の円形の底部には、径方向に沿って挿通孔１７と該挿通孔１７を囲むように、接合手段としての内端部６ａが設けられている。そして、この内端部６ａによって、サブコーン６は支持部４ｂに例えば接着剤等を介して取付固定されている。
【００３８】
このサブコーン６は、図２に示すように、開放側に向うにつれて径大となる環状の側面６ｂが一体的に形成されていると共に、内方に上記ボイスコイルボビン８の挿通が可能な大きさの挿通孔１７が設けられており、その挿通孔１７側と側面６ｂとの間の内端部６ａは、やはり取り付けるメインコーン５の内端部５ａ（すなわち、ダンパ４の支持部４ｂ）上面と略平行となるよう内方に向って折曲されている。この際、このサブコーン６の他端側である外端部への広がり具合や形状は、所望の周波数特性を得るために任意に設計変更して調整し得るものである。なお、図２は、本発明に用いるサブコーンの構造を説明する図であり、（ａ）は平面図、（ｂ）は側断面図である。
【００３９】
そして、サブコーン６の内端部６ａは、サブコーン６に形成された挿通孔１７にボイスコイルボビン８を挿通させた後に、ダンパ４の支持部４ｂ取り付けられる。したがって、ダンパ４の支持部４ｂとメインコーン５の内端部５ａとサブコーン６の内端部６ａは、三重に重なり合って取り付けられている。
【００４０】
これにより、ウーハ２の開放側（振動により音を出力する側）であって、ツイータ３の背面側に、中域から高域の範囲の音を再生し、その周波数の補正を行うための補正用振動板としてのサブコーン６が配置される。
【００４１】
このように、本実施の形態においては、ボイスコイルボビン８の外周側に設けた支持部、すなわち、ダンパ４の内側端部付近を平坦とすることにより形成した支持部４ｂに、メインコーン５の内端部５ａを介してサブコーン６の内端部６ａを取り付けるものとすることにより、その取り付け位置はボイスコイルボビンの外周面より外方へ位置ずれすることとなり、取り付けるサブコーン６の内径も大きくなる。そして、サブコーン６の内径が大きくなることにより、同じ半頂角であってもツイータ３に対しての距離が拡がり、十分な取り付けスペースが確保される。
【００４２】
すなわち、従来の技術で説明した図１０に示す、従来のサブコーン１０３と比較して、サブコーン６はその内径が大きくなるように設けられている。そのため、該サブコーン６の開放側の内径も大きくなり、そのサブコーン６の開放側においてツイータ３を設置するためのスペースを確保することが可能となる。
【００４３】
しかも、サブコーン６の取り付け位置は、ダンパ４やボイスコイルボビン８に対する取り付け位置とほぼ同一の高さとなり、高さ方向においてもツイータ３に対しての距離が拡がり、十分な取り付けスペースが確保される。すなわち、サブコーン６の取り付け位置をダンパ４等と略同一とすることで、図８や図１０の場合と比較してサブコーン６を下方（プレート１０側）に位置させることが可能となり、サブコーン６とツイータ３とがぶつかって干渉しなくなる。したがって、補正用振動板としてのサブコーン６を取りつける場合に、ツイータ３を必要以上に移動させる必要がない。
【００４４】
（第二の実施の形態）
続いて、本発明の第二の実施の形態について図３に基づいて説明する。図３は、本発明の第二の実施の形態に係る複合スピーカの構造を説明する図であり、（ａ）はスピーカの半側断面図、（ｂ）はサブコーンの取付状態を示す部分拡大断面図である。
【００４５】
なお、本実施の形態では、図３（ａ）に示すように、補正用振動板としてのサブコーン６の取り付け方以外は全て上述の第一の実施の形態と同じ構成である。このため、図中の符号は第一の実施の形態における説明において用いた図１での符号と同じ符合を用いることとし、さらに、必要以外その説明は省略することとした。また、第二の実施の形態に続いて述べる他の実施の形態においても、前記第一の実施の形態と同じ構成とした箇所は図１での符号と同じ符合を用いることとし、その説明は省略することとした。
【００４６】
図３に示すように、第二の実施の形態での補正用振動板としてのサブコーン６の取り付け方は、ボイスコイルボビン８の外周面に、ボイスコイルボビン８の外周面と略垂直をなして外方に突出するように形成された庇（ひさし）状の支持部２０ａを有する断面Ｌ字状の、支持手段としての環状部材２０を取り付け、この支持部２０ａにサブコーン６の内端部６ａを取付固定するように変更を加えたものである。
【００４７】
なお、環状部材２０のうち、ボイスコイルボビン８の外周面に取り付けられる部分は、円筒状のボビン接合部２０ｂである。環状部材２０は、このボビン接合部２０ｂと支持部２０ａとによって構成されている。
【００４８】
ボイスコイルボビン８の外周面に接着剤等により固定された断面Ｌ字状の環状部材２０に形成された平坦な庇状の支持部２０ａの上面には、ダンパ１４の内端部１４ａが接着剤等により取り付けられている。また、上記環状部材２０の支持部２０ａの上面に取り付けられたダンパ１４の内端部１４ａの上には、この支持部２０ａと略平行となるよう内方に向って折曲されたメインコーン５の内端部５ａが取り付けられている。
【００４９】
さらに、ダンパ１４の内端部１４ａを介して環状部材２０の支持部２０ａの上面に取り付けられたメインコーン５の内端部５ａの上には、上述の第一の実施の形態と同様に、サブコーン６に形成された挿通孔１７にボイスコイルボビン８を挿通させた後のサブコーン６の内端部６ａが、例えば接着剤等により取り付け固定されている。
【００５０】
したがって、環状部材２０の支持部２０ａとダンパ１４の内端部１４ａとメインコーン５の内端部５ａとサブコーン６の内端部６ａは、四重に重なり合って取り付けられている。
【００５１】
これによっても、第１のスピーカ部材としてのウーハ２の開放側（振動により音を出力する側）であって、第２のスピーカ部材としてのツイータ３の背面側に、中域から高域の範囲の音を再生し、その周波数の補正を行うための補正用振動板としてのサブコーン６が配置される。
【００５２】
このように、本実施の形態においては、ボイスコイルボビン８の外周側に取り付けた断面Ｌ字状の環状部材２０、詳しくは、環状部材２０においてボイスコイルボビン８の外周面と略垂直をなして外方に突出するように形成された庇状の支持部２０ａに、ダンパ１４の内端部１４ａ及びメインコーン５の内端部５ａを介してサブコーン６の内端部６ａを取り付けている。そのため、サブコーン６の取り付け位置は、ボイスコイルボビン８の外周面より外方へ位置ずれすることとなり、取り付けるサブコーン６の内径も大きくなる。
【００５３】
そして、サブコーン６の内径が大きくなることにより、同じ半頂角であってもツイータ３に対しての距離が拡がり、十分な取付スペースが確保される。
【００５４】
また、この実施の形態においても、サブコーン６の取り付け位置は、ダンパ４やボイスコイルボビン８に対する取り付け位置とほぼ同一の高さとなり、高さ方向においてもツイータ３に対しての距離が拡がり、十分な取り付けスペースが確保される。そのため、従来の図８や図１０の場合と比較して、サブコーン６を下方（プレート１０側）に位置させることが可能となり、サブコーン６とツイータ３とがぶつかって干渉しなくなる。
【００５５】
したがって、サブコーン６を取りつける場合に、ツイータ３を必要以上に移動させることなく、サブコーン６を取りつけるための十分な取付スペースの確保が出来ることとなる。しかも、サブコーン６の内方穴部側端部の取り付けは、スピーカ部材の駆動体を弾性支持する弾性部材等に影響されること無く、任意の位置（高さ）に調整することが出来るものとなる。
【００５６】
また、環状部材２０を介してサブコーン６やメインコーン５を取付固定することにより、サブコーン６やメインコーン５の取付固定箇所が変形せず、安定化なものとなる。それによって、サブコーン６やメインコーン５を直接ボイスコイルボビン８に取付固定した場合と同様の音質の音を出力することが可能となる。
【００５７】
なお、断面Ｌ字状の環状部材２０を用いた場合のサブコーン６の取り付け方はこれに限定されるものではなく、本発明の第二の実施の形態の応用例として、図４に示すように、変更を加えるようにしても良い。図４は、本発明の第二の実施の形態に係る複合スピーカの構造の応用例を説明する図であり、（ａ）はスピーカの半側断面図、（ｂ）はサブコーンの取付状態を示す部分拡大断面図である。
【００５８】
すなわち、まず、ボイスコイルボビン８の外周面に、ダンパ２４の内端部２４ａを取り付け固定する。そして、内端部２４ａよりも上方（メインコーン５の開放側）に位置するボイスコイルボビン８の外周面に、環状部材２０のボビン接合部２０ｂを、該ダンパ２４（内端部２４ａ）とは別体的に取り付ける。さらに、支持部２０ａにメインコーン５の内端部５ａを介してサブコーン６の内端部６ａを取付固定する。
【００５９】
このようにしても、ウーハ２の開放側（振動により音を出力する側）であって、ツイータ３の背面側に、中域から高域の範囲の音を再生し、さらに周波数の補正を行うためのサブコーン６を配置することが出来る。
【００６０】
さらに、図示しない別の変更例としては、ボイスコイルボビン８の外周面に、ダンパ２４の内端部２４ａ及びメインコーン５の内端部５ａをそれぞれ取付固定する。そして、このダンパ２４の内端部２４ａ及びメインコーン５の内端部５ａの上方（メインコーン５の開放側）に、上述と同様の環状部材２０を取り付け、この環状部材２０の支持部２０ａにサブコーン６の内端部６ａだけを単独で取り付け固定するように変更を加えるものとすることも考えられる。
【００６１】
（第三の実施の形態）
続いて、本発明の第三の実施の形態について図５に基づいて説明する。図５は、本発明の第三の実施の形態に係る複合スピーカの構造を説明する図であり、（ａ）はスピーカの半側断面図、（ｂ）はサブコーンの取付状態を示す部分拡大断面図である。なお、本実施の形態もまた、図５（ａ）に示すように、補正用振動板としてのサブコーン６の取り付け方以外は全て上述の第一の実施の形態もしくは第二の実施の形態（応用例も含む）と同じ構成である。
【００６２】
図５に示すように、第三の実施の形態での補正用振動板としてのサブコーン６の取り付け方は、ボイスコイルボビン８の外周面に、ボイスコイルボビン８の外周面より外方に突出して形成された二つ以上の支持部３０ａ、３０ｂを有する断面□状（矩形状）をした肉厚状の環状部材３０を取り付け、ボイスコイルボビン８の外周面と略垂直をなして外方に突出するように形成された支持部３０ａにサブコーン６の内端部６ａを取り付け固定するように変更を加えたものである。
【００６３】
なお、かかる肉厚の環状部材３０は、ボイスコイル７及びボイスコイルボビン８の駆動性に影響を与えないよう、その重量設定が為されている。
【００６４】
ボイスコイルボビン８の外周面に接着剤等により固定された支持手段としての環状部材３０に形成された平坦な突出支持部３０ａの上面には、ダンパ１４の内端部１４ａが接着剤等により取り付けられている。
【００６５】
また、上記環状部材３０の支持部３０ａの上面に取り付けられたダンパ１４の内端部１４ａの上には、この支持部２０ａと略平行となるよう内方に向って折曲されたメインコーン５の内端部５ａが取り付けられる。さらに、その上には、上述の第二の実施の形態と同様に、サブコーン６に形成された挿通孔１７にボイスコイルボビン８を挿通させた後のサブコーン６の内端部６ａが、例えば接着剤等により取付固定されている。
【００６６】
したがって、環状部材３０の支持部３０ａとダンパ１４の内端部１４ａとメインコーン５の内端部５ａとサブコーン６の内端部６ａとは、四重に重なり合って取り付けられている。これによっても、ウーハ２の開放側（振動により音を出力する側）であって、ツイータ３の背面側に、中域から高域の範囲の音を再生し、その周波数の補正を行うためのサブコーン６が配置される。
【００６７】
このように、本実施の形態においては、ボイスコイルボビン８の外周側に取り付けた断面□状の環状部材３０（支持部３０ａ）に、ダンパ１４の内端部１４ａ及びメインコーン５の内端部５ａを介してサブコーン６の内端部６ａを取り付けている。このため、その取り付け位置はボイスコイルボビン８の外周面より外方へ位置ずれすることとなり、取り付けるサブコーン６の内径も大きくなる。そして、サブコーン６の内径が大きくなることにより、同じ半頂角であってもツイータ３に対しての距離が拡がり、十分な取付スペースが確保される。
【００６８】
また、この実施の形態においても、サブコーン６の取り付け位置は、ダンパ４等とほぼ同一の高さとなり、十分な取り付けスペースが確保される。そのため、サブコーン６とツイータ３とがぶつかって干渉しなくなる。これと共に、環状部材３０を用いることで、サブコーン６等の取付固定箇所が変形せず、安定化なものとなる。それによって、サブコーン６やメインコーン５を直接ボイスコイルボビン８に取付固定した場合と同様の音質の音を出力可能となる。
【００６９】
また、サブコーン６の挿通孔１７側端部の取り付けは、スピーカ部材の駆動体を弾性支持する弾性部材等に影響されること無く、任意の位置（高さ）に調整することが出来るものとなる。
【００７０】
なお、断面□状の環状部材３０を用いた場合のサブコーン６の取り付け方の応用例として、図６や図７に示すように、変更を加えるようにしても良い。図６は、本発明の第三の実施の形態の応用例に係る複合スピーカの構造の応用例を説明する図であり、（ａ）はスピーカの半側断面図、（ｂ）はサブコーンの取付状態を示す部分拡大断面図である。
【００７１】
図６に示す応用例では、ボイスコイルボビン８の外周面に、ダンパ２４の内端部２４ａを取付固定する。そして、このダンパ２４の内端部２４ａの上方（振動板の開放側）に、上述の環状部材３０を取り付け、環状部材の支持部３０ａにメインコーン５の内端部５ａを介してサブコーン６の内端部６ａを取付固定する。
【００７２】
このようにしても、ウーハ２の開放側（振動により音を出力する側）であって、ツイータ３の背面側に、中域から高域の範囲の音を再生して周波数の補正を行うサブコーン６を配置することが出来る。
【００７３】
また、図７は、本発明の第三の実施の形態の他の応用例を説明する図であり、（ａ）はスピーカの半側断面図、（ｂ）はサブコーンの取付状態を示す部分拡大断面図である。図７に示す応用例では、ボイスコイルボビン８の外周面に、ダンパ２４の内端部２４ａを取付固定する。そして、このダンパ２４の内端部２４ａの上方（振動板の開放側）に位置するボイスコイルボビン８の外周面に、環状部材３０を取り付け、これにサブコーン６の内端部６ａとメインコーン５の内端部５ａを取付固定する。
【００７４】
すなわち、この環状部材３０は断面□状であるから、ボイスコイルボビン８の外周面と略垂直をなして外方に突出する支持部３０ａと、ボイスコイルボビン８の外周面と略平行を為す支持部３０ｂといった二つの取り付け部が設けられている。そして、支持部３０ｂにメインコーン５の内端部５ａを取付固定し、支持部３０ａにサブコーン６の内端部６ａを取付固定する。
【００７５】
このようにしても、ウーハ２の開放側（振動により音を出力する側）であって、ツイータ３の背面側に、中域から高域の範囲の音を再生し、その周波数の補正を行うサブコーン６を配置することが出来る。
【００７６】
さらに、図示しないが、ボイスコイルボビン８の外周面に、ダンパ２４の内端部２４ａ及びメインコーン５の内端部５ａをそれぞれ取付固定する。そして、このダンパ２４の内端部２４ａ及びメインコーン５の内端部５ａの上方（メインコーン５の開放側）に位置するボイスコイルボビン８の外周面に、支持部３０ａ及び支持部３０を有する環状部材３０を取り付ける。その後、支持部３０ａまたは支持部３０ｂの何れかにサブコーン６の内端部６ａだけを単独で取付固定するように変更を加えるものとすることも考えられる。
【００７７】
このような本実施の形態における応用例においても、サブコーン６の内端部６ａの取り付け位置はボイスコイルボビン８の外周面より外方へ位置ずれすることとなり、サブコーン６を取り付けるための十分な取付スペースの確保ができる。しかも、サブコーン６の挿通孔１７側の取り付け部が二つ以上形成されるので、取付位置や取付向きが限定されることなく、取り付けし易い任意の位置や向きを選択することができる。また、サブコーン６に内端部６ａが設けられていない場合でも、支持部３０ｂにそのサブコーン６を取付固定することが可能となる。
【００７８】
さらに、本実施の形態（すなわち、第三の実施の形態）のように、取り付け部が二つ以上形成される肉厚状の環状部材３０の応用例としては、断面形状を凹状やＨ字状、三角状（直角三角状も含む）等に変更することも考えられる。
【００７９】
以上、本発明の第一から第三の実施の形態について応用例も含めて述べたが、本発明は図面等に基づいて説明した実施の形態のものに限定されるものではなく、本発明の要旨を逸脱しない範囲でこれ以外にも種々変形可能であることは言うまでも無い。
【００８０】
【発明の効果】
本発明によれば、必要以上に大きな取り付け奥行き収納スペースを要すること無くスピーカの再生音域特性の改善を図る補正用振動板を取り付けることができ、スピーカの再生音域特性を一層改善して高域特性の補正をすることができる。それにより、第２のスピーカ部材を必要以上に開放前面側に移動させる必要がない。
【００８１】
しかも、スピーカの再生音域特性の改善を図る補正用振動板を取り付けることにより、スピーカの中央付近から出てはいたが、第２のスピーカ部材により遮断されていた高域成分が、補正用振動板を伝わって出力させることが出来るものとなった。
【図面の簡単な説明】
【図１】本発明の第一の実施の形態に係る複合スピーカの構造を説明する図であり、（ａ）はスピーカの半側断面図、（ｂ）はサブコーンの取付状態を示す部分拡大断面図である。
【図２】本発明に用いるサブコーンの構造を説明する図であり、（ａ）は平面図、（ｂ）は側断面図。
【図３】本発明の第二の実施の形態に係る複合スピーカの構造を説明する図であり、（ａ）はスピーカの半側断面図、（ｂ）はサブコーンの取付状態を示す部分拡大断面図である。
【図４】本発明の第二の実施の形態に係る複合スピーカの構造の応用例を説明する図であり、（ａ）はスピーカの半側断面図、（ｂ）はサブコーンの取付状態を示す部分拡大断面図である。
【図５】本発明の第三の実施の形態に係る複合スピーカの構造を説明する図であり、（ａ）はスピーカの半側断面図、（ｂ）はサブコーンの取付状態を示す部分拡大断面図である。
【図６】本発明の第三の実施の形態に係る複合スピーカの構造の応用例を説明する図であり、（ａ）はスピーカの半側断面図、（ｂ）はサブコーンの取付状態を示す部分拡大断面図である。
【図７】本発明の第三の実施の形態に係る複合スピーカの構造の他の応用例を説明する図であり、（ａ）はスピーカの半側断面図、（ｂ）はサブコーンの取付状態を示す部分拡大断面図である。
【図８】従来のフルレンジ型のデュアルコーンスピーカの構造を説明する半側断面図である。
【図９】従来の支柱形式のコアキシャルスピーカの構造を説明する半側断面図である。
【図１０】従来の支柱形式のコアキシャルスピーカに、従来のデュアルコーンスピーカに用いられているサブコーンを取り付けた場合の構造を想定し説明する半側断面図である。
【符号の説明】
１，２１，３１，４１，５１，６１…複合スピーカ
２…ウーハ（第１のスピーカ部材、低音用スピーカ）
３…ツイータ（第２のスピーカ部材、高音用スピーカ）
４，１４，２４…ダンパ（弾性部材）
４ｂ…支持部（支持手段）
５…メインコーン（第１の振動板）
５ａ…内端部
６…サブコーン（補正用振動板）
６ａ…内端部（接合手段）
７…ボイスコイル
８…ボイスコイルボビン
９…取付支柱
９ａ…先端部
１３…フレーム
１４ａ，２４ａ…内端部
１５…穴部
１７…挿通孔
２０…環状部材（支持手段）
２０ａ…庇状支持部
３０…環状部材
３０ａ，３０ｂ…突出支持部
【図１】
0003985188.tif 000002
【図２】
0003985188.tif 000003
【図３】
0003985188.tif 000004
【図４】
0003985188.tif 000005
【図５】
0003985188.tif 000006
【図６】
0003985188.tif 000007
【図７】
0003985188.tif 000008
【図８】
0003985188.tif 000009
【図９】
0003985188.tif 000010
【図１０】
0003985188.tif 000011